Podtech/llm-jp-corpus-v4-ja_patent huggingface dataset:
(57)【要約】      （修正有）【課題】構成が簡易であり、簡単な層構成による通気性の良い竹寝具を提供する。【解決手段】ハードな熱可塑性弾性樹脂の曲率を有する連続線条文ランダムループのスプリング構造の繊維の厚さが５ｍｍ〜５０ｍｍの立体的構造体からなる中芯材の表面および裏面を大きめの網目のシート２で被覆し、この周囲側面を布地３で巻回逢着してなる通気性の良好な寝具１の構成である。【選択図】図１
0003111467.tif 000002
【実用新案登録請求の範囲】
【請求項１】
ハードな熱可塑性弾性樹脂の曲率を有する連続線条ランダムループのスプリング構造の繊維の厚さが５ｍｍ〜５０ｍｍの立体的構造体からなる中芯材の表面を大きめの網目のシートで被覆してなる通気性の良好な敷物であることを特徴とする寝具。
【請求項２】
ハードな熱可塑性弾性樹脂の曲率を有する連続線条ランダムループのスプリング構造の繊維の厚さが５ｍｍ〜５０ｍｍの立体的構造体からなり中芯材の表面を大きな網目のシートで被覆し、この周囲側面を布地で巻回逢着してなる通気性の良好な敷物であることを特徴とする寝具。
【考案の詳細な説明】
【技術分野】
【０００１】
この考案は、睡眠中の通気性に優れ、内部の空気の自然対流を生じて快適な睡眠ができる寝具に関する。
【背景技術】
【０００２】
一般に敷き蒲団は綿、羊毛、羽毛などを充填材料として生地袋内に充填したものが普通である。このような天然綿、合成綿などのみで形成されたものでは通気性に劣り、特に、昨今の合成綿などは通気性に悪く、体温の保温性に優れるため夏は暑く、寝苦しい状態であった。
このような通常の天然綿や合成綿を芯材として使用している寝具において、通気性を良くするために多数の通気孔を設けたものや、発泡性合成樹脂のフェルト芯材を使用したものなどがある。
例えば、特開平７−２３８３５号公報に知られるものはフェルト状層の両側に天然綿を配置したサンドイッチ構造にしたものである。弾力性によりクッション作用によって通気性を改善したものである。
また、表面を凹凸に形成したウレタンフォームによる敷き布団が実開平６−１１５５４号公報に記載されている。
【０００３】
【特許文献１】特開平７−２３８３５号公報
【特許文献２】実開平６−１１５５４号公報
【０００４】
前記特許文献１は発泡性材料を使用するもので空気の対流作用は生じないか、充分な冷却効果が得られない。また、特許文献２はウレタンフォームなどの発泡性樹脂を使用して、弾力性によるポンプ作用による通気性を付与するもので、空気の対流作用を生じないものである。
【考案の開示】
【考案が解決しようとする課題】
【０００５】
特許文献１〜２に記載されるものは、発泡性樹脂の弾力性による作用によるものであるから、睡眠中に常時空気対流を生じるものではない。
本考案は、睡眠中にも圧縮されず、空気の流通が好ましい寝具を提供するものである。
本考案の課題は、睡眠中も身体の重量によって圧縮されることなく、内部に空気対流が発生している寝具を提供することである。
本考案の課題は、構成が簡易であり、簡単な層構成による通気性の良い寝具を提供することである。
【課題を解決するための手段】
【０００６】
本考案の前記課題は、以下の寝具の構成によって達成できる。
ハードな熱可塑性弾性樹脂の曲率を有する連続線状ランダムループのスプリング構造の繊維の厚さが５ｍｍ〜５０ｍｍの立体的構造体からなる中芯材の表面を大きめの網目のシートで被覆してなる通気性の良好な敷物である寝具の構成である。
【０００７】
また本考案の課題は、ハードな熱可塑性弾性樹脂の曲率を有する連続線状ランダムループのスプリング構造の繊維の厚さが５ｍｍ〜５０ｍｍの立体的構造体からなり中芯材の表面を大きな網目状のシートで被覆し、この周囲側面を布地で巻回逢着してなる通気性の良好な敷物である寝具の構成によって達成できる。
【考案の効果】
【０００８】
本考案の寝具は、連続線条ランダムループのスプリング構造体の繊維からなる中芯材を使用し、その表面及び裏面を網目のシートで被覆してあるので、睡眠中に中芯材の形状が維持されているから寝具内部に空気対流を生じて、夏期には涼しく気持ちよく睡眠をとることができる。
【０００９】
本考案の寝具は、前記中芯材の側面を通常の布地でキルティング加工によって被覆してある。そのために周側面が丸みを帯びており、寝具の取り扱いに際して角部による違和感を和らげることができる。
【考案を実施するための最良の形態】
【００１０】
本考案に係る寝具の実施の形態を図面に基づいて詳細に説明する。
図１は本考案の寝具の１実施の形態を示す斜視図である。図２は本考案に使用する中芯材の部分斜視図である。図３は本考案の寝具の中芯材の表面を網目布で被覆した状態を示す部分斜視図である。図４は本考案寝具の断面図である。図５は図２の中芯材の内部構造を示す拡大図である。
【００１１】
本考案の寝具について、図面に示す実施の形態に基づいて説明する。
図１に示されるように表面及び裏面が網目構造のシート２で被覆され、周囲側面が柔らかい布地で形成されている保護布３が縫製されている寝具１である。内部には連続線条ランダムループのスプリング構造体からなる中芯材４がある。
【００１２】
図１に示すように寝具１は、連続線条ランダムループのスプリング構造体の繊維の厚さ５ｍｍ〜５０ｍｍの立体的構造体（図５参照）からなる中芯材４を備えている。この表面及び裏面は大きめの網目のシート２で被覆してある。従って、中芯材４の繊維の末端が表面にとげとげしく顕れることがないので、睡眠中に違和感が無く、安らかに寝ることができる。
また、中芯材４の周側面は表裏面に貼り付けた網目シート２を固着するために布地３で被覆してある。この布地３によって角部で中芯材４の硬質繊維末端が突出することによる障害がない。
【００１３】
本考案の寝具は、夏季における敷物として好ましく使用することができる。特に、表面、裏面の網目シートとして吸水性物質の繊維で形成することにより発汗の水分を吸収することもでき、通気性のみならずさわやかに睡眠をすることができる。
【図面の簡単な説明】
【００１４】
【図１】本考案の寝具の実施の形態を示す斜視図である。
【図２】本考案の寝具の中芯材を示す部分斜視図である。
【図３】本考案の寝具の中芯材の表面を網目シートで被覆した状態を示す部分斜視図である。
【図４】本考案寝具の断面図である。
【図５】本考案の中芯材の拡大説明図である。
【符号の説明】
【００１５】
１    寝具
２    網目シート
３    布地
４    中芯材
【図１】
0003111467.tif 000003
【図２】
0003111467.tif 000004
【図３】
0003111467.tif 000005
【図４】
0003111467.tif 000006
【図５】
0003111467.tif 000007
(57)【要約】【課題】バスタオルのずれ落ちで赤子が一緒に落下する危険さの解消等【解決手段】バスタオルに片腕を通す切り込み（穴）１０をあける事により、バスタオルが重みでずり落ちるのを防ぎ、赤子落下が解決する。【選択図】図１
0003111437.tif 000002
【実用新案登録請求の範囲】
【請求項１】
バスタオルの両長辺の端に、腕が通る位の切り込み（穴）を設け入れ、バスタオルが重みでずれ落ちないようにした、赤子落下防止バスタオル。
【考案の詳細な説明】
【技術分野】
【０００１】本考案は、バスタオルに関する
【背景技術】
【０００２】従来のバスタオルでは、赤子を受け取る時、重みでバスタオルがずれていた。
【考案の開示】
【考案が解決しょうとする課題】
【０００３】しかし、これでは、腕にかけたバスタオルと共に赤子が落ちやすく、非常に危険で、生命にかかっていた。
【課題を解決するための手段】
【０００４】  そこで、バスタオルの両長辺、それぞれに切り込みを入れ、腕を通して、重みでずれないバスタオルを考案した（図１）。
【考案の効果】
【０００５】  よって、本考案の赤子落下防止バスタオルにより、しっかりと赤子を受け止めることができるため、落下を防止できる。又、裏表使え、従来のバスタオルに、切り込みを２ヶ所入れるだけなのでコストもあまりかからない。
【考案を実施するための最良の形態】
【０００６】  本考案に係る「赤子落下防止バスタオル」は図１に示すようにバスタオルの両長辺端に切り込み（穴）を入れている。切り込みはほつれないようにし、図２のように、腕を通す事により、赤子の重みでも片方がずれず、安全に受け止める事ができる。
又、裏表使用でき、タオルの絵、もよう、厚さにも影響なく、左右どちらの腕でも良く、従来のバスタオルに切り込みを２ヶ所入れるだけなのでコストがあまりかからない。
大きな物を拭いたりする時にも便利である。なぜ、左右４ヶ所に切り込みを入れないかと言うと、もう片方の腕は自由にしておかないと、自分がころびそうな時に、手が、つけないからである。
【図面の簡単な説明】
【０００７】
【図１】本考案に係る従来のバスタオルに切り込みを２ヶ所設けた状態の平面図である。
【図２】赤子落下防止バスタオルの使用状態を示した、上部から見た図である。
【符号の説明】
【０００８】１    バスタオル長辺部
２    腕
３    他の片方の腕
１０  切り込み（穴）
２０  バスタオル
Ａ    赤子
Ｂ    大人
【図１】
0003111437.tif 000003
【図２】
0003111437.tif 000004
(57)【要約】      （修正有）【課題】ジョギングやウオーキングに携行して利用される携行用ダンベルを提供する。【解決手段】芯体３の全周に柔軟性に富む発泡樹脂体２を設けて握り部１を形成するとともに、前記芯体の両端をねじ部４とし、このねじ部に、ねじ部６を備えた穴を有する重り５を着脱自在に設けた本体Ｂと、曲げ立ち上げ部１４に孔１５を設けるとともに、芯板１３を内装した柔軟性に富む発泡樹脂体で留め部１１を形成した留め体Ｃとから構成されたことを特徴としている。また、芯体の両端に着脱自在に設けられる重りに反射蛍光手段を備える。【選択図】図２
0003111435.tif 000002
【実用新案登録請求の範囲】
【請求項１】
芯体３の全周に柔軟性に富む発泡樹脂体２を設けて握り部１を形成するとともに、前記芯体の両端をねじ部４とし、このねじ部４に、ねじ部６を備えた穴を有する重り５を着脱自在に設けた本体Ｂと、
曲げ立ち上げ部１４に孔１５を設けるとともに、芯板１３を内装した柔軟性に富む発泡樹脂体で留め部１１を形成した留め体Ｃとから構成されたことを特徴とする携行用ダンベル。
【請求項２】
芯体の両端をねじ部とし、このねじ部に、重りを着脱自在に設けて形成される携行用ダンベルにおいて、前記重りに反射蛍光手段を備えたことを特長とする実用新案登録請求の範囲請求項１記載の携行用ダンベル。
【考案の詳細な説明】
【技術分野】
【０００１】  本考案は、本体の両端に重りを着脱自在に装着可能なダンベルに係り、特にジョギングやウオーキングに適した携行用ダンベルを提供するものである。
【背景技術】
【０００２】  元来ダンベルＡは図１に示したように、握り部２１と重り部２２とから成り、これらの握り部と重り部は一体的に形成されたものであった。したがって、利用者の目的やレベルに合わせるためには重さの異なる数種のものを用意しなければならなかった。
そこで、このような欠点解消のため、本体の両端に重りを着脱自在に設けることができるようにしたダンベルが考案されて来た。
【考案の開示】
【考案が解決しようとする課題】
【０００３】  ここに来て、ダンベルを使用しての運動効果が評価されるに至り、ジョギングやウオーキングのときに携行しての利用がされるようになった。
しかしながら、これらの携行使用に際し、違和感無く使用でき、且つ夜間の使用にも適するものは無く、その出現が待たれていた。
そこで本考案は、昼間ばかりでなく夜間のジョギングやウオーキングのときに携行しての使用に適するダンベルを提供しようとするものである。
【課題を解決するための手段】
【０００４】  芯体の全周に柔軟性に富む発泡樹脂体を設けて握り部を形成するとともに、前記芯体の両端をねじ部とし、このねじ部に、ねじ部を備えた穴を有する重りを着脱自在に設けた本体と、
曲げ立ち上げ部に孔を設けるとともに、芯板を内装した柔軟性に富む発泡樹脂体で留め部を形成した留め体とから構成し、
さらに、前記重りに反射蛍光手段を備えた携行用ダンベルとして課題を解決するための手段としている。
【考案の効果】
【０００５】  本考案は、以上のような手段で課題を解決するものであるから次のような効果を奏するものである。
（１）握り部は、芯体の全周に柔軟性に富む発泡樹脂体を設けて形成されているので、握り心地が良く、手首に疲労を感ずることなく長時間のジョギングやウオーキングでの使用も苦にならない。
（２）握り部の両端に、曲げ立ち上がり部を有する留め体が設けられるので、ふと、握り部から手が離したときでも手首に止まり、落下して足を怪我するなどと言うことがない。
（３）留め体は、芯板を内装して柔軟性に富む発泡樹脂体で形成されたものであるから、手の甲に密着した状態を保持しつつ、その形は崩れることがない。
（４）芯体の両端に着脱自在に取り付けられる重りには、反射蛍光手段を備えているので、夜間のジョギングやウオーキングでも安心して使用できる。
【考案を実施するための最良の形態】
【０００６】  芯体の全周に柔軟性に富む発泡樹脂体を設けて握り部を形成するとともに、前記芯体の両端を雄ねじ部とし、該雄ねじ部に、雌ねじ部を備えた穴を有する重りを着脱自在に設けた本体と、
曲げ立ち上げ部に孔を設けるとともに、芯板を内装した柔軟性に富む発泡樹脂体から留め部を形成して留め体とし、この留め体を前記本体に取り付け構成している。さらに、前記重りに反射蛍光手段を備えたことを特徴としている。
【実施例】
【０００７】  本考案の実施例を図面に基づき説明する。
本考案の携行用ダンベルは二つの主要な部材で構成されており、図２は本体Ｂを説明するもので、芯体３の全周に柔軟性に富む発泡樹脂体２を設けて握り部１を形成するとともに、前記芯体３の両端を雄ねじ部４とし、該雄ねじ部４に、雌ねじ部６を備えた穴を有する重り５を着脱自在に設け形成されている。【０００８】  図３はもう一方の主要部材である留め体Ｃを説明するもので、曲げ立ち上げ部１４に孔１５を設けるとともに、芯板１３を内装した柔軟性に富む発泡樹脂体１２で留め部１１を形成して留め体Ｃを構成している。【０００９】  図３で説明した曲げ立ち上げ部１４に設けられた孔１５に、図２で説明の芯体３の両端が挿入され、その後、前記芯体３の両端に重り５が螺旋着され本考案の携行用ダンベルは完成される。
ここで、芯体３の両端に着脱自在に取り付けられる重り５には、例えば、塗装による反射蛍光手段が施されている。
また、図示が省略されているが、該重り５に施される反射蛍光手段には同様な効果が期待できるテープの貼り付けによる実施例も包含される。
【産業上の利用可能性】
【００１０】  本考案の携行用ダンベルは、以上説明のような構成を有するものであるから、握り部を感触良く握ることができるばかりでなく、これに取り付けられる柔軟性を有する発泡樹脂で作られている留め体は、その内部に芯板が内装されていているので型崩れすること無く、手の甲にフイットし違和感無く密着する。
更に、芯体の両端に着脱自在に取り付けられる重りには反射蛍光手段が講じられていて夜間のジョギングやウオーキングのとき使用するのに適したものとなっている。
これらの効果が期待できる本考案に係る携行用ダンベルは、その実施に際し、障害となる加工上の技術的な問題点も無いので、産業上の利用可能性は大いに期待できる。
【図面の簡単な説明】
【００１１】
【図１】従来の最も一般的なダンベルを説明する図である。
【図２】本考案を構成する主要な要素の一つ、本体を一部切欠で説明する図である。
【図３】本考案のもう一方の要素である留め体を一部切欠で説明する図である。
【符号の説明】
【００１２】Ａダンベル従来品    Ｂ本体    Ｃ留め体
１握り部    ２発泡樹脂体    ３芯体    ４ネジ部    ５重り    ６ネジ部
１１留め部    １２発泡樹脂体    １３芯板    １４曲げ立ち上げ部    １５孔
【図１】
0003111435.tif 000003
【図２】
0003111435.tif 000004
【図３】
0003111435.tif 000005
(57)【要約】【課題】  二輪車への固定、その固定の解除をワンタッチで容易に行なえるカバーを提供する。【解決手段】  係合と離脱が可能な連結具７とその連結具７の両側に接続される一対のベルト８、９とからなる二輪車本体４への固定部材５が一体に設けられてなる二輪車用カバー。【選択図】  図２
0003111434.tif 000002
【実用新案登録請求の範囲】
【請求項１】
係合と離脱が可能な連結具とその連結具の両側に接続される一対のベルトとからなる二輪車本体への固定部材が一体に設けられてなることを特徴とする二輪車用カバー。
【考案の詳細な説明】
【技術分野】
【０００１】  この考案は、自転車やバイク等の二輪車を覆うように用いられる二輪車用カバーの改良に関する。
【背景技術】
【０００２】  車体が雨で濡れたり汚れたりすることがないように、自転車やバイクにカバーをかけることが行なわれている。このようなカバーは風が吹くとまくれ上がり、時には外れてしまう場合がある。そこで従来においては、カバーに紐を一体に取り付けその紐を車体に結び付けるようにしてカバーを車体に固定していた。
【考案の開示】
【考案が解決しようとする課題】
【０００３】  しかしながら、上記のように紐を用いて固定する場合、カバーの装着、取り外し時に、紐を結び、また、それをほどくのに非常に手間がかかる問題があった。また、結びが弱いとほどけてしまい、逆に強過ぎるとほどけないという問題もあった。【０００４】  この考案は上記の事情に鑑みて行なったもので、二輪車用カバーの二輪車への固定、その固定の解除をワンタッチで容易に行なえるようにすることを目的とする。
【課題を解決するための手段】
【０００５】  この考案では、係合と離脱が可能な連結具とその連結具の両側に接続される一対のベルトとからなる二輪車本体への固定部材が一体に設けられてなることを特徴とする二輪車用カバーを提供する。【０００６】  上記構成によれば、固定部材の連結具を係合することで二輪車用カバーを二輪車本体に固定することができ、離脱することでその固定を解除できる。
【考案の効果】
【０００７】  この考案によれば、二輪車への固定、その固定の解除がワンタッチで容易に行なえる使用に便利な二輪車用カバーが得られる。
【考案を実施するための最良の形態】
【０００８】  図１はこの考案の二輪車用カバーの外観斜視図、図２は固定部材部分の斜視図である。二輪車用カバー１は全体が表面防水加工されたシート２よりなり、その内側の下縁の２箇所Ａ、Ｂ位置に自転車の前後の車輪４に固定される固定部材５が取り付けられている。【０００９】  固定部材５は係合と離脱とが可能な樹脂製の連結具７と、その両側に連接される一対の布製のベルト８、９とからなる。上記連結具７は嵌入片１０と受片１１とからなり、嵌入片１０はその先端側に弾力的に変位可能な一対の係止片１２を備えるとともに基部側にベルト８の連結穴１３を備え、受片１１は先端側に嵌入穴１５を備えるとともに基部側にベルト９の連結穴１６を備え、係止片１２側が嵌入穴１５内に嵌入係止されることで連結具７は一体となる。【００１０】  ベルト８はその一端が連結穴１３に通されて嵌入片１０に連接されており、連結穴１３部分に設けられている圧接位置決め機構（図に現れない）によりその連接位置で位置決め固定されている。ベルト９の一端は受片１１の連結穴１６に通されベルト９の途中部分に重ね縫われて固定されている。そして、ベルト８、９の他端それぞれはシート２の内面の連結重ね部２０を挟む位置において縫い付けられることで互いが一体にシート２に固定されている。【００１１】  図３は固定部材５による二輪車用カバーｌの自転車への固定状態を示し、図４にも示すように、連結具７が一体とされて環状となった固定部材５で自転車のタイヤ２２部分を囲む状態で固定されている。この際、ベルト８の嵌入片１０の連結穴１３から引き出されている端部８ａ長さが長くされていると環状径が小さく、逆に短くされていると環状径は大きくなるもので、この環状径を調節することで安定した固定状態が得られる。【００１２】  連結具７の連結は嵌入片１０の係止片１２側を受片１１の嵌入穴１５に押入して行なう。押入することで係止片１２それぞれが受片１１により両側から相対的に押されて互いに近接する方向に変位し、係止片１２の先端部分が受片１１の両側の窓部２５に到達した位置において弾力により外方に開き係止して連結状態が維持される。連結具７を離脱させるには、受片１１の両側の窓部２５に突出する係止片１２の先端部分を弾力に抗して押し込んだ状態において受片１１から嵌入片１０を引き抜くことにより行なう。
【図面の簡単な説明】
【図１】  この考案の二輪車用カバーの実施形態の外観斜視図
【図２】  この考案の二輪車用カバーの実施形態の要部斜視図
【図３】  この考案の二輪車用カバーの実施形態の使用状態斜視図
【図４】  この考案の二輪車用カバーの実施形態の要部斜視図
【符号の説明】
１  二輪車用カバー
４  車輪（自転車本体）
５  固定部材
７  連結具
８  ベルト
９  ベルト
【図１】
0003111434.tif 000003
【図２】
0003111434.tif 000004
【図３】
0003111434.tif 000005
【図４】
0003111434.tif 000006
(57)【要約】【課題】  着物の半衿部の形を整えることができるとともに型崩れのない、半衿、和装ブラジャー、一体型の着付け用品を提供することを課題とする。【解決手段】  半衿の所要の衿元に予め形成された半衿部分１と身体の胸部および胴部を包み込む和装ブラジャーを一体に構成し、前記半衿部分に芯を入れ、立体的に作られた半衿と伸縮性のある生地を使用した前開き和装ブラジャーの裏に綿伸縮性の少ない綿を縫い合わせ、補正効果のある和装ブラジャーを縫着したことにある。【選択図】図１
0003111432.tif 000002
【実用新案登録請求の範囲】
【請求項１】
本来和服の長襦袢の衿元となる半衿部分を切り離してあらかじめ形成された別体の半衿に仕立て、身体の線に沿い胸部および胴部を包み込みながら、胸元を整える前開きの和装ブラジャー部分と縫着固定し、和服の衿元を、立体的に形作る半衿としての機能、身体をなだらかな筒状に補正する和装用の下着としての機能の両方を兼ね備える半衿付和装ブラジャー。
【請求項２】
請求項１を着装することにより、本来長襦袢の一部分である半衿部分が、和装ブラジャーの一部と連結することにより、長襦袢の衿が不要となるため衿を除いて仕立てた衿なし長襦袢。
【考案の詳細な説明】
【技術分野】
【０００１】  本考案は半衿付和装ブラジャーにより、特に初心者であっても形よく短時間に着物を装うことができる和服用下着に関する。
【背景技術】
【０００２】  婦人用の和服の半衿は、古来より下着である長襦袢の一部であるが、この半衿を和服着装時に自分自身で形よく整えることは甚だ難しく、特に若年層が和服離れを起している主な原因となっている。また、半衿部分を長襦袢と分離型の衿として形成し、帯状の衣紋抜きを衿の後ろ中央部分に縫着したものが普及しているが、着崩れしないよう装着するにはある程度の知識と技術を要する。
【考案の開示】
【考案が解決しようとする課題】
【０００３】  しかるに従来の上記分離型の衿は、衿の胸元部分外側両端に結び用の細紐が取付けられており、衿を衿元で交差させて胸元に下ろし、細紐を巻付けながら背の中央にまわし、うしろ衿中心に縫着された衣紋抜きに取付けられたループにこの細紐を相互にくぐらせ交差し、さらに、細紐を背から身体の前に巻き付け結んで衿を固定させるように工夫されおり、衣紋抜きのループの上下位置で衿の抜き加減の調整が可能であるという利点がある。
しかしながら、細紐の引き加減に、熟練しなければ着崩れやすく、また後ろ手の所作が不自由な者には難しい上、細紐を強く引けば息苦しく緩くすれば、解けやすいという難点があり、装着後の細紐の始末も着付けの過程に必要となる。
【課題を解決するための手段】
【０００４】  本考案は、上記従来の分離型の半衿が、装着にある程度の知識と技術を要し、また衿の位置を固定しにくいため、着くずれやすいという問題点を改善すべく、半衿を和装ブラジャーと縫着し着物の前中心及び、うしろ衿の抜き加減の調整をあらかじめ固定化することにより、着付けやすさを一層向上させる。また、同時に和装用ブラジャーとの一体化により、胸元のラインの形態をすっきりとした形に整え、袖ぐりを大きく開け前開きの和装ブラジャーに前ボタンを配置することで、腕を通し前ボタンを閉じるだけの所作で装着できるため、着物着付けの過程を大幅に短縮できることから、特に初心者や身体の不自由な者にも使いやすい半衿付和装ブラジャーを提供することを課題としてなされたものである
【考案の効果】
【０００５】  以上説明したように本考案によれば、所要の半衿に予め形成された半衿部分と、身体の胸および胴部を包み込む和装ブラジャー部分とを一体に構成し、前記半衿部分には芯を入れることにより安定した外見を保ち、和装ブラジャー部分には伸縮性に富む生地を使用し身体に密着させ、半衿部分と和装ブラジャー部分の衿開き全体を縫着させることにより、着崩れを生じることがない。また、本体を装着する所作は、両腕を通すことと身体の前でのボタンの開閉の範囲にとどまり、特に初心者にも簡単に着物の着付けができる。
また家庭で丸洗いできる素材の使用により常に清潔に使用することができる。
【考案を実施するための最良の形態】
【０００６】  以下、本考案を図面に示す実施の形態を参照して説明する。【０００７】  図１は半衿を予め形成し和装ブラジャーと一体化した本体正面図を、図２は同左側面を示し、図３は本体背面図。図４は本体前開きのボタンを外して下前を示した図、図５は本体前開きを全開し裏面を示した図。前記１の半衿は内側に芯を入れ、１−ａの衿合せから１−ｂの後ろ衿の抜き加減までを固定し、前記本体の上前、下前、背面である３、４、５を縫着した衿ぐりに沿わせて立体的に形成される。
和装ブラジャーは身体の背中に当る部分５その裏面７は、伸縮性の生地を一重で使用しており、切り替えにより身体に密着するようなラインを形成し緩みはない。
また本体は、３の上前と４の下前は表地に７と同じく伸縮性の生地を使用し、裏面６−ａ  ６−ｂには、伸縮性の少ない綿を縫い合わせ二重にすることにより、伸びにくく、透けにくい、という特徴を持たせ、胸元を押さえすっきりと整える和装ブラジャーとして適している。
本体は８の袖ぐりを大きく開けることにより、ゆったりと袖を通すことができ、２の前開き部分のボタンは２−ａに凹２−ｂに凸を各５個ずつ配列し、その開閉により簡単に着付けができるが、同時に整えた髪を乱すことがない。
また、９の裾部分には伸縮性のテープを使用することにより、身体の動きにつれて本体と身体がずれないような工夫をしている。
また、本考案の和装ブラジャーには伸縮性があるため、１０−ａおよび１０−ｂなどの補正用パットを本体と身体の間に差し挟むことが可能である。
図６は半衿付ブラジャー着装時に本来長襦袢についている衿部分が重なることがないよう仕立てた衿なし長襦袢。
【図面の簡単な説明】
【０００８】
【図１】本体正面図
【図２】本体左側面図
【図３】本体背面図
【図４】本体前開きのボタンを外して下前を示した図
【図５】本体前開きを全開し裏面を示した図
【図６】衿なし長襦袢正面図
【符号の説明】
【０００９】１  半衿部分
２  和装ブラジャー開閉部分
３  和装ブラジャー上前
４  和装ブラジャー下前
５  和装ブラジャー後身頃
６  和装ブラジャー前裏面
７  和装ブラジャー後裏面
８  和装ブラジャー袖ぐり
９  和装ブラジャー裾部分
１０  補正用パット
Ｎ−１  衿なし長補袢上前衿ぐり
Ｎ−２  衿なし長襦袢うしろ衿ぐり
【図１】
0003111432.tif 000003
【図２】
0003111432.tif 000004
【図３】
0003111432.tif 000005
【図４】
0003111432.tif 000006
【図５】
0003111432.tif 000007
【図６】
0003111432.tif 000008
(57)【要約】      （修正有）【課題】石材製の視覚障害者誘導板表面の凸状ラインとか円柱状突起物の上面角部分をなくし、同時にその他の機械加工を施した表面の加工傷をも消去する。【解決手段】石材製の視覚障害者誘導板表面の凸状ラインとか円柱状突起物の上面角部分に丸みをもたせ、同時にその他の機械加工を施した表面の加工傷をも消去して滑らかな面とする。【選択図】図５
0003111436.tif 000002
【実用新案登録請求の範囲】
【請求項１】
表面に複数本の凸状ライン又は多数の円柱状突起物を設けた石材製の視覚障害者誘導板において、表面にバーナー等による熱加工を施し、当該熱により、前記凸状ライン又は円柱状突起物の上面角部分に丸みを設け、且つ、その他の表面を滑らかに形成した石材製視覚障害者誘導板。
【考案の詳細な説明】
【技術分野】
【０００１】  本考案は、歩道等、人の通行する区分に敷設する資格障害者誘導板に関するものであり、詳しくは石材製の視覚障害者誘導板の改良に関するものである。
【背景技術】
【０００２】  平板又はブロックの表面に複数本の凸状ラインを設けた視覚障害者誘導板又は視覚障害者誘導ブロック、又は同じく表面に多数の円柱状突起物を設けた視覚障害者誘導板又は視覚障害者誘導ブロックは知られており、これらは歩道等、人の通行する区分において視覚障害者を誘導し、又はいったん停止個所を認知させる目的をもって敷設されている。【０００３】  材料としてはセラミック、コンクリート製があり、セラミック製の視覚障害者誘導板は見栄えはは良いものの通行量の多い個所では割れることが多く、又コンクリート製の視覚障害者誘導ブロックは厚みがあり重量もあることから敷設工事が容易でなく、最近では石材製の視覚障害者誘導板も使用されている。【０００４】  しかし、石材製の視覚障害者誘導板は、表面の凸状ラインとか円柱状突起物を機械加工によって形成することから、凸状ラインとか円柱状突起物の上面角に丸みをもたせることは難事であるが、しかし上面角は、危険性を考慮すれば丸みをもたせたいのであるが、当該角部分に丸みをもたせるのを手作業でするには時間が掛かりすぎて加工費が高くついていた。これは、このような突起物の角部分だけではなく、製品の見栄え面から見れば、その他の機械加工を施した表面の加工傷にも言えることである。
【考案の開示】
【考案が解決しようとする課題】
【０００５】  解決しようとする問題点は、石材製の視覚障害者誘導板表面の凸状ラインとか円柱状突起物の上面角部分をなくし、同時にその他の機械加工を施した表面の加工傷をも消去することにある。
【課題を解決するための手段】
【０００６】  本考案は、石材製の視覚障害者誘導板表面の凸状ラインとか円柱状突起物の上面角部分に丸みをもたせ、同時にその他の機械加工を施した表面の加工傷をも消去して滑らかな面とすることが課題を解決するための手段である。
【考案の効果】
【０００７】  本考案の視覚障害者誘導板における表面の複数本の凸状ライン又は多数の円柱状突起物の上面角部分及びその他の表面の加工傷が残る部分は、石材を花崗岩（御影石）とすることで、表面にバーナー等による熱加工を加えることにより石材表面が極めて細かく破砕されて上面の角部分は滑らかな丸みを帯び、またその他の表面の加工傷も石材表面が極めて細かく破砕されることから、加工傷は消去されて、極めて滑らかな表面になるものである等、誠に顕著なる実用的効果を有するものである。
【考案を実施するための最良の形態】
【０００８】  表面に複数本の凸状ライン又は多数の円柱状突起物を設けた石材製の視覚障害者誘導板において、表面にバーナー等による熱加工を施し、当該熱により、前記凸状ライン又は円柱状突起物の上面角部分に丸みを設け、且つ、その他の表面を滑らかに形成した石材製視覚障害者誘導板を呈せんとするものである。
【実施例１】
【０００９】  図１及び図３は視覚障害者誘導板１の平面図、図２及び図４は側面図である。当該視覚障害者誘導板１は花崗岩（御影石）により製作されている。これは、後述の熱加工により角に丸みを持たせるためには当該石材が望ましいものである。凸状ライン２又は多数の円柱状突起物３は通常この種の形状を形成するに用いる機械加工で形成する。図５に示すように、凸状ライン２又は多数の円柱状突起物３の上面角部分４又はその他の表面５にバーナー６等により熱加工を施す。加熱された上面角部分４又はその他の表面部分５は、花崗岩の特性により極めて細く破砕され、従って角部分４は丸みを帯び、その他の表面５は加工傷が消去されて滑らかな面となる。
【産業上の利用可能性】
【００１１】  本考案に係る視覚障害者誘導板１における表面の複数本の凸状ライン２又は多数の円柱状突起物３の上面角部分４及びその他の表面５の加工傷が残る部分は、石材を花崗岩（御影石）とすることで、表面にバーナー６等による熱加工を加えることにより石材表面が極めて細かく破砕されて上面の角部分４は滑らかな丸みを帯び、またその他の表面５の加工傷も石材表面が極めて細かく破砕されることから、極めて顕著なる実用的効果を有するものであり、産業上の利用可能性は極めて大である。
【図面の簡単な説明】
【００１２】
【図１】  本考案に係る視覚障害者誘導板平面図。
【図２】  本考案に係る視覚障害者誘導板の側面図。
【図３】  本考案に係る視覚障害者誘導板の平面図。
【図４】  本考案に係る視覚障害者誘導板又の側面図。
【図５】  上面角部分の拡大側面図。
【符号の説明】
【００１３】  １  視覚障害者誘導板
２  凸状ライン
３  円柱状突起物
４  上面角部分
５  その他の表面部分
６  バーナー
【図１】
0003111436.tif 000003
【図２】
0003111436.tif 000004
【図３】
0003111436.tif 000005
【図４】
0003111436.tif 000006
【図５】
0003111436.tif 000007
(57)【要約】      （修正有）【課題】小さな害虫の侵入も防ぐ無農薬で植物を育成可能なプランターの提供。【解決手段】プランター１の排水口に排水口キャップ５を取り付け、次にプランターに中敷４（支柱固定穴付き）をセットし、梁２と一体型支柱と支柱８を中敷４に取り付け、梁７と梁２と一体型支柱とを組合せて、プランターに土を入れ、防虫網あるいは不繊布、寒冷沙または空気孔付き保温ビニール６をかぶせ、被覆材は防虫網固定キャップ３を容易に取りはずすことが可能で、取り替えは非常に容易にできる。【選択図】図１
0003111409.tif 000002
【実用新案登録請求の範囲】
【請求項１】
プランターに支柱を固定し、梁を付けて防虫網で全体を覆い、プランターと防虫網を固定キャップで完全に密着させ、隙間をなくして害虫の上部からの侵入を確実に防ぐとともに、プランターの排水口に網状のキャップをつけることで排水口からの蟻など小さな害虫の侵入をも完全に防ぐことで、完全無農薬で植物を育成でき、また防虫網を不繊布や寒冷沙または空気孔付ビニールにしたり、更にはそれらを組み合わせて使うことにより、植物の発育向上にも応用可能な簡易組み立て型完全無農薬植物育成プランター。
【請求項２】
プランター中敷の四隅に支柱を差し込む穴を設けるとともに、中敷中央にも支柱を差し込む穴を設け、植物の支えを確実にすることを可能にする装置。
【請求項３】
プランター排水口の網状キャップは、内側を粗い網で、外側を細かい網にすることによって目詰まりと蟻のような小さな虫の侵入を防ぐことを可能とする装置。
【請求項４】
請求項１に記載の固定キャップは、プランターの縁の部分と密着できるよう形態をプランターの縁に合せ、さらに密着が完全になるよう多少重みのあるゴム状の材質を用いることで害虫の侵入を確実に防ぐことが可能な装置。
【考案の詳細な説明】
【技術分野】
【０００１】
本考案は、無農薬で植物を育成可能なプランターに関するものである。
【０００２】
無農薬栽培とともに、季節や気候に合わせて被覆材を防虫網から不繊布や寒冷沙または空気孔付ビニールにして使ったり、更にはそれらを組み合わせて使うことによって、植物の発育促進に活用可能なプランターとして利用できる装置である。
【背景技術】
【０００３】
従来の防虫タイプのプランターはフレームの上から防虫網を被せる方法であったため、隙間や排水口から小さな害虫が侵入する可能性があった。（特開２００２−１８６３６５号公報参照のこと。）
【特許文献１】特開２００２−１８６３６５号公報
【考案の開示】
【考案が解決しようとする課題】
【０００４】
解決しようとする問題点は、プランターと防虫網との隙間をなくすことと、排水口から害虫が侵入できないようにすることである。
【課題を解決するための手段】
【０００５】
プランターの縁の部分と密着できるように、固定キャップの形態をプランターの縁に合せ、さらに密着が完全になるよう多少重みのあるゴム状の材質を用いることでプランターと防虫網との隙間をなくし、また排水口に網状キャップを設ける。
【考案の効果】
【０００６】
隙間なく防虫網で覆われ、排水口に網状キャップを付けたプランターは、大きな害虫から小さな害虫、例えばアブラムシや蟻の侵入を防ぐことができ、且つ被覆材を季節や気候に合わせて使い分けることで植物の完全無農薬栽培と発育促進の効果が期待できる。
【考案を実施するための最良の形態】
【０００７】
直方体又は立方体、円筒型のプランターに支柱を立て防虫網を被せ、固定キャップでプランターと防虫網を完全に密着させ、さらに排水口に網状キャップを付けた型が最良の形態である。
【実施例１】
【０００８】
図１は完全無農薬植物育成プランターの１実施例の全体図であり、まず（１）のプランターの排水口に（５）の排水口キャップを取り付け、次にプランターに（４）の中敷（支柱固定穴付き）をセットし、（２）の梁と一体型支柱と（８）の支柱を（４）の中敷に取り付け、（７）の梁と（２）の梁と一体型支柱とを組合せて、プランターに土を入れ、防虫網あるいは不繊布、寒冷沙または空気孔付き保温ビニールをかぶせた１実施例であり、被覆材は（３）の防虫網固定キャップを容易に取りはずすことが可能であることから、取り替えは非常に容易にできるようになっている。
【実施例２】
【０００９】
図２は中央に支柱を立てて栽培をした場合の1実施例の平面図であり、（８）の支柱が（４）の中敷に確実に固定されているので、植物をしっかりと支えることができる１実施例であり、さらに植物の手入れ（除草や追肥作業など）をするときは（３）の防虫網固定キャップを簡便に取り外し、防虫網等をはずす事で、容易に作業がしやすい構造となっている。
【産業上の利用可能性】
【００１０】
主に家庭での庭先やベランダ等での利用であって、完全に害虫の侵入を防ぐことで植物の無農薬栽培がプランターで手軽に楽しめるようになる。また、固定キャップは簡単に取り外すことができるので、除草や追肥などの作業は用意に行える。各部品はセットの他に単品で用意することでセットでの買い替えをしなくても必要な部品だけを取替え可能とし、長く利用できるようにする。
【図面の簡単な説明】
【００１１】
【図１】図１は本発明装置の１実施例を示した立体図である。
【図２】図２は中央に支柱を立てて栽培をした１実施例を示した平面図である。
【図３】図３は梁および梁と一体型支柱を示した平面図である。
【図４】図４は防虫網固定キャップの平面図（上面図、側面図）である。
【図５】図５は中敷（支柱固定穴付き）を示した平面図（上面図、側面図）である。
【図６】図６は排水口キャップの平面図（正面図、両側面図）である。
【符号の説明】
【００１２】
１  プランター
２  梁と一体型支柱
３  防虫網固定キャップ
４  中敷（支柱固定穴付き）
５  排水口キャップ
６  防虫網（又は不繊布、寒冷紗、空気孔付き保温ビニール）
７  梁
８  支柱
【図１】
0003111409.tif 000003
【図２】
0003111409.tif 000004
【図３】
0003111409.tif 000005
【図４】
0003111409.tif 000006
【図５】
0003111409.tif 000007
【図６】
0003111409.tif 000008
【手続補正書】
【提出日】平成17年4月21日(2005.4.21)
【手続補正１】
【補正対象書類名】実用新案登録請求の範囲
【補正対象項目名】請求項２
【補正方法】変更
【補正の内容】
【請求項２】
請求項１記載の簡易組み立て型完全無農薬植物育成プランターの中敷には、四隅に支柱を差し込む穴を設けるとともにその中敷の中央にも支柱を差し込む穴を設け、植物の支えを確実にすることが可能な装置。
【手続補正２】
【補正対象書類名】実用新案登録請求の範囲
【補正対象項目名】請求項３
【補正方法】変更
【補正の内容】
【請求項３】
請求項１記載の簡易組み立て型完全無農薬植物育成プランターの排水口の網状キャップは、内側を粗い網で、外側を細かい網にすることのよって目詰まりと蟻のような小さな虫の侵入を防ぐことが可能な装置。
(57)【要約】      （修正有）【課題】歯の磨きにくい部分にも、確実に毛先をあてることができる歯ブラシを提供する。【解決手段】ブラシの毛先３のついた指サック２をはめることによって、指を使って自在に歯を磨くことができる。【選択図】図２
0003111401.tif 000002
【実用新案登録請求の範囲】
【請求項１】
指にはめて歯を磨くことができる歯ブラシ
【考案の詳細な説明】
【考案の開示】
【考案が解決しようとする課題】
【０００１】従来の柄の先に毛のついた歯ブラシでは、奥歯の裏側等、磨きにくい部分があり、歯ならびの形状によっては、毛先を歯に正確にあてることも難しい点があった。
【課題を解決するための手段】
【０００２】上記の問題点を解決するために、指サックの表面の全面に歯ブラシの毛先を植え込み、指にはめて歯を磨ける様にした。
【考案の効果】
【０００３】人差し指、親指等を使うことにより、歯の形状にあわせて様々な方向、角度、強度で自在にブラシを歯にあてることができる。
【図面の簡単な説明】
【０００４】
【図１】  考案のコンセプトの図である。
【図２】  考案の実物の図である。
【符号の説明】
【０００５】１  通常の歯ブラシ
２  指サック
３  毛先（ブラシ）
【図１】
0003111401.tif 000003
【図２】
0003111401.tif 000004
【手続補正書】
【提出日】平成17年3月15日(2005.3.15)
【手続補正１】
【補正対象書類名】実用新案登録請求の範囲
【補正対象項目名】全文
【補正方法】変更
【補正の内容】
【実用新案登録請求の範囲】
【請求項１】
指サックの表面の全面に歯ブラシの毛先を植え込み、指にはめて歯を磨けるようにした歯ブラシ
(57)【要約】      （修正有）【課題】押スイッチ部分の粘着材を隔絶した押スイッチ保護フィルム。【解決手段】一部離形フィルムを残した粘着材付フィルム１により押スイッチ１０とセンサ８の保護を可能にする。【選択図】図３
0003111410.tif 000002
【実用新案登録請求の範囲】
【請求項１】
押スイッチを覆い、押スイッチ部分の粘着材をフィルムで隔絶したことを特徴とする押スイッチ用保護フィルム。
【請求項２】
指触センサと押スイッチを同時に覆い、押スイッチ部分の粘着材をフィルムで隔絶したことを特徴とする押スイッチ用保護フィルム。
【請求項３】
請求項１及び２に於いて押スイッチ部分を押スイッチを覆う形に形成したことを特徴とする押スイッチ用保護フィルム。
【考案の詳細な説明】
【考案の詳細な説明】
【技術分野】
【０００１】    本考案は、携帯型情報端末及び携帯型音楽録再生装置など指触センサと押スイッチを備える機器に関する物である。
【背景技術】
【０００２】    従来の技術思想では、押スイッチの保護及び表示カバーとして押スイッチ部分の粘着材を塗布しない形状の保護フィルムが存在した。あらかじめスイッチ部分をマスクしたパターンで版を制作し、シルク印刷等の方法で粘着材を塗布する事により押スイッチ部分への粘着材の塗布を避ける方法が用いられていた。
【考案が解決しようとする課題】
【０００３】    本考案は予め粘着材を塗布したフィルムと離形フィルムを用い、押スイッチ部分の粘着材を隔絶した保護フィルムを制作することを目的とする。
【課題を解決するための手段】
【０００４】    本考案では予め粘着材を塗着した保護フィルムと粘着材の付着を防ぐ離形フィルムを用い、押スイッチ部分の離形フィルムが残る形で半抜きされた離形フィルムとその他の部分が必要形状に型抜きされた保護フィルムによりスイッチの保護と周囲のセンサなどの保護を同時に可能とする。
【実施例】
【０００５】    以下添付図面に基づいて本考案を説明する。
図１は本考案の押スイッチ用保護フィルムの断面である。保護フィルムは粘着材の付着を防ぐ離形フィルムと貼着され、必要な外形形状に半抜きされている。押スイッチ部分は離形フィルム側を押スイッチに合わせて半抜きされている。
図２は保護フィルムを離形フィルムから剥がした状態の断面である。
保護フィルムを離形フィルムから剥がすとスイッチ部分の離形フィルムが保護フィルムに貼着された状態で離形フィルムから剥がれる。実施例では押スイッチ部分が押スイッチを覆う形状に形成されている。図３は押スイッチ用保護フィルムが周囲のセンサを保護しながら押スイッチ部分を覆い該押スイッチへの粘着材の付着を離形フィルムによって隔絶している装着状態の断面である。
図４は携帯型音楽再生装置の指触センサと押スイッチの位置関係とそれに対応する本考案の押スイッチ用保護フィルムの斜視図である。【０００６】本考案の押スイッチ用保護フィルムが近接した指触センサと押スイッチを同時に覆う状態を示す。
【考案の効果】
【０００７】    このように本考案の押スイッチ用保護フィルムは、近接した指触センサと押スイッチを覆い、センサ・スイッチへの汚れの付着を防ぐ効果がある。押スイッチ部分は離形フィルムにより隔絶され、押スイッチへの粘着材の貼着を防ぎ該スイッチの操作感を妨げることもない。また離形フィルムに軟質材を選択することにより、該スイッチの衝撃からの保護にも役立つ。透明な材料のフィルムを用いて本考案の押スイッチ用保護フィルムを製作することにより、機器の指触センサに印刷された機能説明の記号を透過して識別することが出来るため、保護フィルムを貼ることによる機能の低下も防ぐことが出来る。予め離形フィルムと貼着された粘着材付き保護フィルムを用意し、型で抜く作業により目的とする非粘着面を併せ持った保護フィルムを生産できる為、生産コストも後加工で粘着材を貼着する方法に比べ優れている。本考案の実施により携帯型音楽再生装置などの操作部分の耐久性を大きく改善することが出来る。
【図面の簡単な説明】
【図１】    押スイッチ用保護フィルムの断面である。
【図２】    離形フィルムから剥がした押スイッチ用保護フィルムの断面である。
【図３】    保護フィルムとセンサ・スイッチの断面である。
【図４】    センサ・スイッチと保護フィルムの相対関係の斜視図である。
【符号の説明】
１保護フィルム、２離形フィルム、３粘着材、４外形切断部分、５離形フィルム切断部分、６非粘着部用離形フィルム、７携帯型音楽再生装置、８指触センサ、９機能印刷部、１０押スイッチ
【図１】
0003111410.tif 000003
【図２】
0003111410.tif 000004
【図３】
0003111410.tif 000005
【図４】
0003111410.tif 000006
(57)【要約】      （修正有）【課題】目尻、眉尻などの細かな部分のメイク直しが出来、持ち歩きが便利な綿棒を提供する。【解決手段】綿棒先端のブラシ部分を片方だけ細くする。綿棒の両端にクレンジング液を含浸し、一本一本をビニールで包装する。綿棒が細くなっているため目尻、眉尻のメイク直しが容易いに出来、なおかつ、先端が細くなっているためにさらに細かい部分までフィットさせて利用することが出来る。さらに一本ずつに包装されているため、切り離しが出来、持ち歩きに便利である。【選択図】図１
0003111403.tif 000002
【実用新案登録請求の範囲】
【請求項１】
両端の綿部の大きさを非対称にしたことを特徴とする綿棒。
【考案の詳細な説明】
【考案の詳細な説明】
【技術分野】
【０００１】  本考案は、化粧直し等に用いる綿棒の形状に関する。
【背景技術】
【０００２】  従来の化粧直しに用いる綿棒の形状は図２に示すように綿棒の両端部分にクレンジング液を含浸させたものである。
【考案が解決しようとする課題】
【０００３】  しかしながら、両端の太さが同じことから細部までの化粧直しが難しい。
【考案が解決しようとする課題】
【０００４】  本考案は、綿棒の両端の太さを変えることで、より細かい部分まで化粧直しができる綿棒を実現し、よって上記課題を解決するものである。
【実施例】
【０００５】  目尻や目の際などの細部まで化粧直しが可能である。【０００６】  既存の綿棒と同じように綿製で、先端部分にクレンジング液を染み込ませ、左右の太さを非対称にする。
【考案の効果】
【０００７】  本考案に係る綿棒は、左右の太さが違うので、化粧直しの幅を広げることができ、実用性に優れている。
【図面の簡単な説明】
【図１】この発明の一実施形態を示す斜視図である。
【図２】従来技術を示す斜視図である。
【符号の説明】
【図１】
0003111403.tif 000003
【図２】
0003111403.tif 000004
(57)【要約】【課題】持ち手の握り棒本体を太く、且つ短くしたことで、着衣に付着した塵埃を本人自ら払うことができる人専用のはたきを提供する。【解決手段】握り棒本体１を握りやすい太さと短い棒の長さとし、握り棒本体１の先端部分には、ポリエステル製等の布３をナイロン糸２で縛りつけ、本人自ら払い落とすことのできなかった部分の塵埃を払い落とせるようにする。【選択図】  図１
0003111425.tif 000002
【実用新案登録請求の範囲】
【請求項１】
握り棒本体を握りやすい太さと、短い棒の長さとし、本人自ら払い落とすことのできなかった部分の塵埃を払い落とす為の機能性を有する人専用のはたき。
【請求項２】
請求項１に記載のはたきにおいて、握り棒本体の先端部分に芳香剤等の小物が収納でき、使用時に好みの香りを楽しむことを特徴とするはたき。
【考案の詳細な説明】
【技術分野】
【０００１】  本考案は、着衣した状態で衣服に付着した塵埃を払い落とす為の、人専用に使用するはたきに関するものである。
【背景技術】
【０００２】  従来、一般に市販されているはたきは、持ち手の握り棒本体が細長い構成をしており、天井の煤や電気器具をはじめ、装飾品や家具類等の上に積もった塵埃を払うという使用の用途に限られていた。しかし、人が外出した際、着衣に付着した塵埃を本人自らが払うための人専用のはたきはなかった。
【考案の開示】
【考案が解決しようとする課題】
【０００３】  従来は、着衣に付着した塵埃を払うには、直接手で払い落としていた。しかしながら、背部に付着した塵埃を払い落とすには衣服を脱ぐか、もしくは他人の手を借りないと、本人自ら塵埃をはたき落とすことが困難であった。本考案の主要な課題は、本人自らが着衣した状態で身体の回りに付着した塵埃を手軽に払い落とすことが出来るように、人専用のはたきを提供することにある。
【問題を解決するための手段】
【０００４】（請求項１）
上記課題を解決するために、持ち手の握り棒本体１を直径約３５ｍｍの握り易い太さで、且つ約１００ｍｍから２００ｍｍの短い棒の長さとし、握り棒本体１の先端部分には、ポリエステル製等の布３をナイロン糸２で縛りつけ、本人自ら払い落とすことのできなかった部分の塵埃を払い落とす為の機能性を有する人専用のはたきである。
（請求項２）
図４が示すように、請求項１に記載の握り棒本体１の先端部分に穴開き収納キャップ６を施し、その中に芳香剤等の小物を収納することで、使用時に好みの香りを楽しむことを特徴とするはたきである。
【考案の効果】
考案の効果を、請求項１、請求項２について説明をする。
【０００５】（請求項１）
本考案のはたきによれば、持ち手を太く、且つ短くした握り棒本体にすることとで、手軽で握り易く取り扱いが容易である。また、人が外出した際、着衣に付着した花粉や塵埃を建物内に持ち込まない対策とし、玄関先等において着衣した状態で、本人自らが背部の手の届かなかった部分までも払い落とすことができる。
（請求項２）
請求項１の記載において同様の効果をもたらすと同時に、はたきを払うことで好みの芳香が放たれ香りを楽しむことができる。
【図面の簡単な説明】
【０００６】
【図１】    本考案の請求項１の正面図である。
【図２】    本考案の請求項１のはたき部材を広げた展開図である。
【図３】    本考案の請求項１の断面図である。
【図４】    本考案の請求項２の側面図で一部を断面図で示している。
【図５】    本考案の請求項２のはたき部材を広げ上部から見た展開図である。
【図６】    本考案の部材構成図である。
【符号の説明】
【０００７】    １握り棒本体
２ナイロン糸
３ポロエステル製等の布
４収納キャップ固定部
５収納キャップ
６穴開き収納キャップ
【図１】
0003111425.tif 000003
【図２】
0003111425.tif 000004
【図３】
0003111425.tif 000005
【図４】
0003111425.tif 000006
【図５】
0003111425.tif 000007
【図６】
0003111425.tif 000008